(57)【要約】【課題】ヒータを内蔵している本体が水槽内にあるのか気中にあるのかを確実に検出し、気中にある時はヒータを発熱させることなく該ヒータへの通電を遮断することにより安全性を高める。【解決手段】ヒータＨＲを内蔵しているガラス管からなるヒータ本体１内に赤外線を発する光源ＬＥＤ　を配設してヒータ本体１が空気中にある時と水中にある時とではヒータ本体１内からヒータ本体外に向かう方向に照射した光の屈折が相違するのを利用して、気中にある時にはヒータ本体１の表面で赤外線を反射させて受光体ＰＨＴ２により受光させることにより、この受光体ＰＨＴ２からの電気信号で上記ヒータＨＲを非通電状態にし、水中にある時には受光体ＰＨＴ２に受光させることがないので、その電気信号によりヒータＨＲを通電状態にするように構成している。【選択図】　　図４
2004041053.tif 000002
【特許請求の範囲】
【請求項１】
ヒータを内装している透光性を有する筒状のヒータ本体と、このヒータ本体内に配設されてヒータ本体が気中にある時に該ヒータ本体の表面でヒータ本体内に向かって反射する一方、ヒータ本体が水中にある時にヒータ本体を透過する光源と、ヒータ本体内に配設されて上記反射光を受光する受光体と、この受光体が反射光を受光した時に上記ヒータを非通電状態にし、上記入射光がヒータ本体を透過して受光しない時に上記ヒータを通電状態にするスイッチ回路とから構成していることを特徴とする水槽等の加熱装置。
【請求項２】
光源からの光を直接受光する第１受光体と、光源からヒータ本体に入射した際の反射光を受光する第２受光体とを備えていることを特徴とする請求項１に記載の水槽等の加熱装置。
【請求項３】
電源回路からの直流電圧の供給によって電気信号を発生する発振回路と、この発振回路からの信号によって駆動される発光素子からなる光源と、光源からの発光を直接、受光するフォトトランジスタからなる第１受光体と、光源からのヒータ本体の表面に対する反射光を受光するフォトトランジスタからなる第２受光体と、ヒータを通電、非通電状態にするスイッチ回路と、上記第１、第２受光体からの信号を比較して第１受光体が受光しているにもかかわらず第２受光体が受光していない時にスイッチ回路にヒータへの通電を行わせる信号を発し、第１、第２受光体が共に受光しているか受光していない時にスイッチ回路にヒータを非通電状態にする信号を発する比較回路とから構成していることを特徴とする請求項１又は請求項２に記載の水槽等の加熱装置。
【請求項４】
第１、第２受光体と比較回路との間に、第１、第２受光体からの矩形波の入力信号をそれぞれ波形整形する第１、第２シュミット回路と、これらの第１、第２シュミット回路からの入力信号の異同を検出して比較回路に入力する排他的論理和とを接続していると共に第１、第２シュミット回路からの入力信号が同じである時にヒータを非通電状態にするように上記比較回路を設定していることを特徴とする請求項３に記載の水槽等の加熱装置。
【請求項５】
ヒータ本体はガラス管からなり、このヒータ本体内の一部に透明な合成樹脂を充填し、この充填合成樹脂内に光源と第１、第２受光体とを埋設していることを特徴とする請求項１ないし請求項４のうち、いずれか１項に記載の水槽等の加熱装置。
【発明の詳細な説明】
【０００１】
【発明の属する技術分野】
本発明は、バケツや水槽内に投入して内部の水を所定温度にまで加熱し、その水温を保持するようにした加熱装置の改良に関するものである。
【０００２】
【従来の技術】
従来から、例えば熱帯魚などを鑑賞する水槽においては、水槽内の温度を一定温度に加熱、保持するための加熱装置が使用されている。この加熱装置は通電によって発熱するヒータと、このヒータに電力を供給、遮断するスイッチ素子と、温度検知センサ及び温度制御回路とを備えてあり、水温が設定温度以下になるとヒータに電力を供給して水槽内の水を加熱し、水槽内の水が設定温度に達するとスイッチ素子により通電を遮断してヒータに対する電力の供給を停止し、これを繰り返し行わせて水槽内の水の温度を所定温度に保持している。
【０００３】
【発明が解決しようとする課題】
しかしながら、上記の加熱装置では水漏れや水槽の転倒、或いは、ヒータが誤って水槽外に出しておいた場合には空焚き状態となってヒータが異常に温度上昇し、火災が発生する等の極めて危険な事態となる虞れがある。このため、回路中に温度ヒューズを設けておき、異常に温度上昇した時にはその温度ヒューズを溶断させて電力を遮断するように構成しているが、一度、温度ヒューズが溶断すると加熱装置の構造上、その取り替えができないため、装置全体を破棄せざるを得ないという問題点がある。
【０００４】
一方、加熱装置が空焚き状態になった時に、高温度に達したヒータの異常温度を検知してヒータへの通電を遮断するように構成した水槽等の加熱装置も開発されているが、気中においてこの異常温度を感知した時にはヒータが既に高温に達するまで発熱するので、安全性において問題があった。
【０００５】
本発明は上記のような問題点に鑑みてなされたもので、気中と水中とでは光の屈折率が変化するのを利用してヒータが気中あるときにはヒータに対する通電を完全に遮断し、水中にあるときにヒータに対して通電して安全に使用することができる水槽等の加熱装置を提供することを目的とする。
【０００６】
【課題を解決するための手段】
上記目的を達成するために、本発明の水槽等の加熱装置は、請求項１に記載したように、ヒータを内装している透光性を有する筒状のヒータ本体と、このヒータ本体内に配設されてヒータ本体が気中にある時に該ヒータ本体の表面でヒータ本体内に向かって反射する一方、ヒータ本体が水中にある時にヒータ本体を透過する光源と、ヒータ本体内に配設されて上記反射光を受光する受光体と、この受光体が反射光を受光した時に上記ヒータを非通電状態にし、上記入射光がヒータ本体を透過して受光しない時に上記ヒータを通電状態にするスイッチ回路とから構成している。
【０００７】
このように構成した水槽等の加熱装置において請求項２に係る発明は、上記受光体として、光源からの光を常時、直接受光する第１受光体と、光源からヒータ本体に入射した際の反射光を受光する第２受光体とを備えていることを特徴とする。
【０００８】
さらに、上記請求項１又は請求項２に記載の発明において、請求項３に係る発明は装置の回路構成であって、電源回路からの直流電圧の供給によって電気信号を発生する発振回路と、この発振回路からの信号によって駆動される発光素子からなる光源と、光源からの発光を直接、受光するフォトトランジスタからなる第１受光体と、光源からのヒータ本体の表面に対する反射光を受光するフォトトランジスタからなる第２受光体と、ヒータを通電、非通電状態にするスイッチ回路と、上記第１、第２受光体からの信号を比較して第１受光体が受光しているにもかかわらず第２受光体が受光していない時にスイッチ回路にヒータへの通電を行わせる信号を発し、第１、第２受光体が共に受光しているか受光していない時にスイッチ回路にヒータを非通電状態にする信号を発する比較回路とから構成していることを特徴とする。
【０００９】
この請求項３に記載した発明において、請求項４に係る発明は、上記第１、第２受光体と比較回路との間に、第１、第２受光体からの矩形波の入力信号をそれぞれ波形整形する第１、第２シュミット回路と、これらの第１、第２シュミット回路からの入力信号の異同を検出して比較回路に入力する排他的論理和とを接続していると共に第１、第２シュミット回路からの入力信号が同じである時にヒータを非通電状態にするように上記比較回路を設定していることを特徴とする。
【００１０】
また、請求項５に係る発明は、上記請求項１ないし請求項４に記載の発明において、上記透光性を有するヒータ本体としてはガラス管からなり、このヒータ本体内の一部に透明な合成樹脂を充填し、この充填合成樹脂内に上記光源と第１、第２受光体とを埋設してなる構造としている。
【００１１】
【作用】
コンセント等による電源への接続によってヒータ本体内の回路に通電すると、ヒータ本体内に配設している光源が発光してヒータ本体の内面に対し所定の入射角でもって照射する。この際、ヒータ本体がガラス製であって、光源からの光がこのヒータ本体に入射する角度を、ヒータ本体が気中にある場合においてヒータ本体と空気との界面で全反射を起こす臨界角以下の角度であって、且つヒータ本体が水中にある場合には光がヒータ本体を透過する角度に設定しておくと、ヒータ本体が水中にある時には、光源からの光はヒータ本体を透過するので受光体に入射しないが、水槽が水漏れや転倒等によって空焚き状態となった時には、光源からの入射光がヒータ本体と空気との界面で反射して受光体に入射することになる。
【００１２】
この受光体は比較回路に接続されてあり、この比較回路によって受光体が光源からの光を受光しているかどうかを検出し、受光体が受光していない時にはスイッチ回路にヒータへの通電を行わせる信号を発してヒータに通電可能な状態にして水槽内の水を所定温度にまで加熱、保持させるようにする一方、受光体が受光した時にはスイッチ回路に対して比較回路からヒータへの通電を遮断する信号を発してヒータの作動を停止させるものである。
【００１３】
このような加熱装置の作用において、光源が故障等により発光しない状態になった場合には、受光体には光が入射しないので、ヒータ本体が気中であっても水中に配設された状態にあるものと検出されてヒータに対する通電が行われ、異常に上昇して火災が発生する虞れがある。そのため、受光体として、光源からの光を常に直接、受光する受光体と、光源からヒータ本体の内面に照射する光の反射光を受光する上記受光体とをそれぞれ第１、第２受光体として配設しておき、第１受光体によってヒータ本体内に通電されているかどうかを検出すると同時に第２受光体によりヒータ本体が気中にあるのか、水中にあるのかを検出するように構成しておくことが望ましい。
【００１４】
【発明の実施の形態】
本発明の実施の形態を図面について説明すると、図１はバケツや水槽（以下、水槽という）内に投入して水槽内の水を所定温度にまで加熱する加熱装置の構造を示すもので、ガラス管からなる有底筒状のヒータ本体１の一半部内にニクロム線からなるヒータＨＲを配設している一方、他半部内に温度が高くなると抵抗値が下がる負特性抵抗素子からなる水温感知素子ＮＴＣ　と、回路部品２と異常温度になった時に溶断して電力を遮断する温度ヒューズ３とを一体に組み込んでいるプリント基板４とを配設し、さらに、ヒータ本体１の他端部内に発光ダイオード（発光素子）からなる光源ＬＥＤ　と、この光源ＬＥＤ　からの光（赤外線）を直接、受光する第１受光体ＰＨＴ１と、ヒータ本体１が気中（空気中）にある場合に該光源ＬＥＤ　の光がガラス管の表面で反射してその反射光を受光する第２受光体ＰＨＴ２とを配設している。
【００１５】
これらの第１、第２受光体ＰＨＴ１、ＰＨＴ２は、光を受けると電流が導通するスイッチ素子であるフォトトランジスタ又はフォトダイオードからなり、第１受光体ＰＨＴ１は光源ＬＥＤ　の近傍部における該光源ＬＥＤ　からの光を直接、照射される位置に配設されている一方、第２受光体ＰＨＴ２は図２、図３に示すように、光源ＬＥＤ　に対して遮蔽板５により遮蔽され、且つ、光源ＬＥＤ　からの上記反射光を受光する位置に配設されている。遮蔽板５はその先端面をヒータ本体１の内周面の一部に密着させてあり、この密着部のガラス面に向かって光源ＬＥＤ　からの光線を所定の入射角でもって照射させるように構成している。
【００１６】
光源ＬＥＤ　からの上記ヒータ本体１のガラス面に対する光線の入射角は、ヒータ本体１が空気中にある場合において、光線がこのヒータ本体１（ガラス管）に入射した時に、ヒータ本体の表面と空気との境界面で屈折が起こって全反射する臨界角以下の入射角であって、ヒータ本体１が水中にある場合には、光線がヒータ本体１を透過してしまう角度に設定されている。そして、上記第２受光体ＰＨＴ２は遮蔽板５を中央にして光源ＬＥＤ　に対して対称位置、即ち、上記反射光を受光する位置に配設されている。
【００１７】
なお、赤外線を発光する光源とヒータ本体１（ガラス管）の内面との間や第１、第２受光体ＰＨＴ１、ＰＨＴ２とヒータ本体１（ガラス管）の内面との間に空気が存在すると光がガラス管内を透過することなく、ヒータ本体１の内面側で反射してしまうので、これらの光源ＬＥＤ　と第１、第２受光体ＰＨＴ１、ＰＨＴ２とは遮蔽板５と共にヒータ本体１の他端部内に充填してその外周面がヒータ本体１の内面に一体に固着している透明な密度の高い合成樹脂よりなる壁体６内に上記の配置状態でもって埋設されている。
【００１８】
従って、光源ＬＥＤ　からの照射光線（赤外線）は、この透明な合成樹脂よりなる壁体６内からヒータ本体１を形成しているガラス管の肉厚部を通過してヒータ本体１の表面にまで到達し、ヒータ本体１が気中にあるときは、ヒータ本体１から密度の低い空気中にはでることなくこのヒータ本体１の表面で反射して再び合成樹脂製壁体６中に戻り、上記第２受光体ＰＨＴ２に到達するものであり、ヒータ本体１が水中にあるときには、水は空気よりも密度が高いので、光源ＬＥＤ　からの光線はヒータ本体１の表面で反射することなく水中に所定の屈折角度でもって進入し、第２受光体ＰＨＴ２に到達することはない。
【００１９】
そして、ヒータ本体１が気中にあるときには、光源ＬＥＤ　からの光線の反射光が上記第２受光体ＰＨＴ２によって受光されてこの受光を行った信号を発信し、その信号により後述するスイッチ回路ＰＳＷ　を作動させて上記ヒータＨＲを非通電状態にする一方、ヒータ本体１が水中にあるときには、光源ＬＥＤ　からの光線が反射することなく水中に進行するので、第２受光体ＰＨＴ２がその光線を受光していない信号を発してこの信号によりスイッチ回路ＰＳＷ　を上記ヒータＨＲが通電状態となるように作動させるように構成している。
【００２０】
上記光源ＬＥＤ　から発光する光線は、可視光線であると第１、第２受光体ＰＨＴ１、ＰＨＴ２は日常の光で誤動作するので、上述したように赤外線を使用しているものであり、また、光を一定の周期で断続的に発光させてその断続周期の信号だけに第１、第２受光体ＰＨＴ１、ＰＨＴ２を反応させることにより自然に存在する光と区別し、信頼性のある装置を構成している。さらに、ヒータ本体１の他端部外周面に、上記第１、第２受光体ＰＨＴ１、ＰＨＴ２を被覆した円環形状のカバー７を装着してこのカバー７により自然光を遮り、第１、第２受光体ＰＨＴ１、ＰＨＴ２が自然光を受光しない構造にしている。このカバー７は図３に示すように、ヒータ本体１の他端部外周面数箇所に配設したスペーサ片８を介してヒータ本体１に固定されてあり、このカバー７とヒータ本体１の外周面との隙間に水槽内では水を、気中では空気を存在させて光源ＬＥＤ　からの光を上述したように屈折させるように構成している。
【００２１】
なお、ヒータ本体１の１半部内に設けている上記ヒータＨＲはニクロム線をマイカ板の両面に配設してマグネシア砂等で埋設されている点や、故障等によってヒータＨＲが異常高温に達した時に通電を遮断する上記温度ヒューズ３をヒータ本体１内に配設している点は従来の加熱装置と同じであり、また、このヒータＨＲと上記プリント基板４間に仕切ゴム９を設け、プリント基板４側のヒータ本体１の他半部内にシリコン樹脂を銃身している。
【００２２】
さらに、ヒータ本体１の他端側に設けている開口端を水密状態に密閉したゴム製キャップ１０から上記プリント基板上の回路に接続している電源コード１１を引き出し、この電源コード１１の先端にプラグ１２を接続している。なお、この場合、温度設定部を設けていない固定温度式加熱装置を構成しているが、電源コード１１の中間部に温度設定部（図示せず）を設けている設定温度可変式加熱装置を構成しておいてもよい。上記固定温度式加熱装置の場合には、ヒータＨＲに通電、遮断するスイッチ回路をヒータ本体１内に設けているが、この設定温度可変式加熱装置では、スイッチ回路は、温度設定部またはヒータ本体１内のどちらに組み入れておいてもよい。
【００２３】
次に、ヒータ本体１が水中にある時にこれを検出して上記ヒータＨＲを通電状態にし、気中（空気中）にある時にこれを検出してヒータＨＲを非通電状態にする電気回路の具体的な構成を図４に基づいて説明する。
【００２４】
同図において、この電気回路は、回路を作動させる直流電圧を作る電源回路ＰＳと、この電源回路ＰＳに接続して電源回路ＰＳからの直流電圧の供給により交流（電気信号）を発生する発振回路ＯＳＣ　と、この発振回路ＯＳＣ　の出力側に接続して電気信号の勢力を強くする励振増幅回路ＥＸＴ　と、発振回路ＯＳＣ　からの信号によって駆動される発光素子からなる上記光源ＬＥＤ　と、この光源ＬＥＤ　からの発光を直接、受光する上記第１受光体ＰＨＴ１と、光源ＬＥＤ　から発する光線の反射光を受光する上記第２受光体ＰＨＴ２と、これらの第１、第２受光体ＰＨＴ１、ＰＨＴ２の出力側にそれぞれ接続して第１、第２受光体ＰＨＴ１、ＰＨＴ２からの入力信号を波形整形する第１、第２シュミット回路ＳＴ１　、ＳＴ２　と、これらの第１、第２シュミット回路ＳＴ１　、ＳＴ２　からの入力信号が異なるか同じであるかを検出して検波回路ＲＣを通じて電圧比較回路ＣＭＰ２に入力する排他的論理和ＥＸＯＲと、電圧比較回路ＣＭＰ２の出力側に接続してこの電圧比較回路ＣＭＰ２からの出力電圧の高低の信号によりヒータＨＲを通電、非通電状態にする電力スイッチ回路ＰＳＷ　とから構成されている。
【００２５】
さらに、ヒータ本体１内に設けている水温感知素子ＮＴＣ　と温度設定部の設定温度に対応した基準電圧Ｖｒｅｆとは、上記電圧比較回路ＣＭＰ２とは別の電圧比較回路ＣＭＰ１を介して電力スイッチ回路ＰＳＷ　に接続している。なお、温度設定部は、摘まみの回動操作によって抵抗値を変化させて温度設定を行うように構成している。
【００２６】
このように構成した電気回路を有する加熱装置の作用を述べる。電源コード１１のプラグ１２を電源に接続すると、電源回路ＰＳによって回路動作に必要な直流電圧が給電され、発振回路ＯＳＣ　で一定周期の信号が発生してこの信号が励振増幅回路ＥＸＴ　によりその勢力を強くされて光源ＬＥＤ　を駆動し、この光源ＬＥＤ　が一定の周期で赤外線を発光し続ける。
【００２７】
光源ＬＥＤ　が発光すると、第１受光体ＰＨＴ１に対してはその赤外線が遮蔽されることなく直接、照射する一方、第２受光体ＰＨＴ２に対しては該赤外線が遮蔽板５によって遮断されているので、この遮蔽板５の先端面が接しているヒータ本体１を形成しているガラス管の内面に所定の入射角度でもって入射する。この際、ヒータ本体１が水槽内の水中にあると、水は空気よりも密度が高いので、ガラス管（ヒータ本体１）を肉厚方向に入射してヒータ本体１の表面に達した赤外線はそのまま屈折しながら水中に照射され、第２受光体ＰＨＴ２には受光されないが、ヒータ本体１が空気中にあると、ガラス管（ヒータ本体１）の表面に達した赤外線は密度の低い空気中にでることなく、ヒータ本体１の表面で反射して遮蔽板５を乗り越えて第２受光体ＰＨＴ２に達し、この第２受光体ＰＨＴ２によって受光される。
【００２８】
上記第１、第２受光体ＰＨＴ１、ＰＨＴ２はフォトトランジスタからなるので、赤外線を受けると一定周期の矩形波の電気信号を発生し、これらの電気信号はシュミット回路ＳＴ１　、ＳＴ２　によって波形整形され、同じ周期で同じ矩形波の信号となって排他的論理和ＥＸＯＲ側に高いレベル「１」の信号が出力される。これに対して、第１、第２受光体ＰＨＴ１、ＰＨＴ２は受光しない時には、低いレベル「０」の信号が出力される。
【００２９】
排他的論理和ＥＸＯＲは、上記第１、第２受光体ＰＨＴ１、ＰＨＴ２からの入力信号が高低何れであってもこれらの２つの入力信号が同じ時、即ち、「１」と「１」又は「０」と「０」の時にこの排他的論理和ＥＸＯＲからの出力が低レベル「０」となり、いずれか一方が「１」で他方が「０」の時、排他的論理和ＥＸＯＲからの出力が高レベル「１」となるように設定されている。
【００３０】
従って、ヒータ本体１が空気中にある場合、及び光源ＬＥＤ　が故障によって赤外線を発光しなくなった場合には、排他的論理和ＥＸＯＲからの出力が低レベルとなり、この低レベルの出力信号が発生した場合に、ヒータＨＲを非通電にするように電圧比較回路ＣＭＰ２を設定しているものであり、この電圧比較回路ＣＭＰ２からスイッチ回路ＰＳＷ　に対してヒータＨＲに通電を遮断する信号を発してヒータＨＲの作動を停止させるものである。
【００３１】
さらに、ヒータ本体１が水中にある時には、第２受光体ＰＨＴ２には光源ＬＥＤ　からの赤外線が到達しなく、第１受光体ＰＨＴ１が出力する矩形波信号のみとなって、排他的論理和ＥＸＯＲの第２受光体ＰＨＴ２からの入力は低レベルのままとなり、もう一方の入力は発振回路ＯＳＣ　の周期の矩形波信号となって出力もこの周期の矩形波形信号となる。この矩形波信号を整流回路ＲＣで直流レベルに変換し、この直流レベルの信号が発生したときに、ヒータＨＲを通電にするように電圧比較回路ＣＭＰ２を設定しているものである。従って、この状態においては、電圧比較回路ＣＭＰ２からスイッチ回路に、ヒータＨＲに対する通電を行う信号を発してヒータＨＲにより水槽中の水の加熱を行わせるものである。
【００３２】
このようにヒータＨＲによって水を加熱している場合には、その水温が水温感知素子（温度抵抗素子）ＮＴＣ　によって検出され、この水温感知素子ＮＴＣ　の電圧と、予め、温度設定（２６℃）された基準電圧Ｖｒｅｆとをもう一方の電圧比較回路ＣＭＰ１で比較し、この比較した電圧出力で電力スイッチ回路ＰＳＷ　をオン、オフして水温を所定の温度に保持するように構成しているのは従来と同様である。なお、以上の実施の形態においては、ヒータ本体１としてガラス管からなるものを用いているが、透明な硬質合成樹脂製管から形成しておいてもよく、要するに、透光性を有する材料であって強度的に優れた材料から形成しておけばよい。
【００３３】
【発明の効果】
以上のように本発明の水槽等の加熱装置によれば、ヒータを内装している透光性を有する筒状のヒータ本体と、このヒータ本体内に配設されてヒータ本体が気中にある時に該ヒータ本体の表面でヒータ本体内に向かって反射する一方、ヒータ本体が水中にある時にヒータ本体を透過する光源と、ヒータ本体内に配設されて上記反射光を受光する受光体と、この受光体が反射光を受光した時に上記ヒータを非通電状態にし、上記入射光がヒータ本体を透過して受光しない時に上記ヒータを通電状態にするスイッチ回路とから構成しているので、水槽内にヒータ本体を配設して該ヒータ本体が水中にあるときには、上記光源からの光がヒータ本体内を通過して反射することなく水中側にでていくから、スイッチ回路によってヒータを通電状態にして通常の加熱装置と同様に、水槽内の水温を所定の温度に達するまで加熱することができるのは勿論、ヒータ本体が不測に水槽からでてしまったり、水槽の転倒等によって空焚き状態となった場合には、ヒータ本体が空気中に存在することになってこのヒータ本体内で発光する光源からの光は密度の低い空気により、該ヒータ本体の表面でヒータ本体内に向かって反射し、受光体によって受光されてヒータを直ちに且つ確実に非通電状態にすることができるものである。
【００３４】
このように、気中と水中とでは光の屈折率が変化するのを利用してヒータ本体が空気中にあるのか水中にあるのかを検出するので、スイッチ回路を正確に作動させることができると共に、ヒータ本体が空気中にある時には直ちにヒータを非通電状態にするので、ヒータが高温度に達することもなく極めて信頼性、安全性が高く、しかも、電源に接続した状態でヒータ本体を空気中から再び水槽内に投入すればヒータが直ちに通電状態となり、便益に使用することができる。
【００３５】
さらに、上記受光体として、光源からの光を常時、直接受光する第１受光体と、光源からヒータ本体に入射した際の反射光を受光する第２受光体とを備えているので、第１受光体によって光源が故障していないかどうかを検出すると同時に第２受光体によってヒータ本体が気中にあるのか、水中にあるのかを正確に検出することができ、光源が故障した場合に、ヒータ本体が気中であっても水中に配設された状態にあるものと検出されるような誤作動を確実になくして一層安全に使用することができる。
【図面の簡単な説明】
【図１】加熱装置の簡略縦断側面図、
【図２】プリント基板部分の簡略斜視図、
【図３】その光源と受光体部分の縦断正面図、
【図４】加熱装置の回路構成図。
【符号の説明】
１　ヒータ本体
５　遮蔽板
ＨＲ　ヒータ
ＬＥＤ　　光源
ＰＨＴ１　第１受光体
ＰＨＴ２　第２受光体
ＰＳＷ　電力スイッチ回路
ＣＭＰ１、ＣＭＰ２　電圧比較回路
ＯＳＣ　　発振回路
ＳＴ１　、ＳＴ２　　シュミット回路
ＲＣ　検波回路
ＥＸＯＲ　排他的論理和
ＮＴＣ　　水温感知素子
【図１】
2004041053.tif 000003
【図２】
2004041053.tif 000004
【図３】
2004041053.tif 000005
【図４】
2004041053.tif 000006